(57)【要約】      （修正有）【課題】リハビリ及び筋持久力訓練を行う引張装置に用い、人体工学的に好ましい方式で手指又は足指の間に装着し、引っ張るときに生じる圧力を低減し、引っ張ってリハビリ及び筋持久力訓練を行う引張式健康器具構造を提供する。【解決手段】引張式健康器具構造は、本体１、引張ユニット２及びハンドルユニット３を備える。本体１は、押圧領域１１を有し、全体として適宜な寸法に形成され、円弧状部分を有する。押圧領域１１の頂端には、交互に配列された複数の凹設端１２１と、複数の延伸端１２２とが設けられる。押圧領域１１の頂端には、挟握領域１２が設けられる。各延伸端１２２の末端には、突設部１２３が設けられる。突設部１２３の下端には、延伸端１２２が接続された箇所に脱落防止端１２３１が設けられる。【選択図】図１
0003219645.tif 000002
【実用新案登録請求の範囲】
【請求項１】
本体、引張ユニット及びハンドルユニットを備えた引張式健康器具構造であって、
前記本体は、押圧領域を有し、全体として適宜な寸法に形成され、人体工学的に好ましい弧度を有し、前記押圧領域の頂端には、交互に配列された複数の凹設端と、複数の延伸端とが設けられ、前記押圧領域の頂端には、人体工学的に好ましい挟握領域が設けられ、各前記延伸端の末端には、突設部が設けられ、前記突設部の下端には、前記延伸端が接続された箇所に脱落防止端が設けられ、
前記引張ユニットは、全体として長尺状を呈するとともに、前記本体から下向きに延びて弾性材料からなり、引っ張るときに伸張効果を得て、
前記ハンドルユニットは、前記引張ユニットの下端に延設され、把持し易いように全体として適宜な寸法に形成され、把持領域が設けられ、前記把持領域には、突設領域が下向きに延設され、前記突設領域の左右両側には、２つのストッパ部が延設されていることを特徴とする引張式健康器具構造。
【請求項２】
前記本体の前記挟握領域の各前記延伸端は、ユーザが把持し易いように凹凸配列されていることを特徴とする請求項１に記載の引張式健康器具構造。
【請求項３】
前記本体の前記押圧領域には、使用するときに滑り抜けることを防ぐために少なくとも１つの窪み部が設けられていることを特徴とする請求項１に記載の引張式健康器具構造。
【請求項４】
前記本体及び前記ハンドルユニットは、弾性材料からなることを特徴とする請求項１に記載の引張式健康器具構造。
【請求項５】
前記本体の前記挟握領域の前記突設部は、円弧状、多角形状又は不規則形状に形成されることを特徴とする請求項１に記載の引張式健康器具構造。
【請求項６】
前記突設部の表面は、平坦状、複数の隆起状又はパターン状に形成されることを特徴とする請求項５に記載の引張式健康器具構造。
【請求項７】
前記ハンドルユニットの前記突設領域の前後両側には、パターンがそれぞれ設けられ、前記引張ユニットに至るまで上方へ延びることを特徴とする請求項１に記載の引張式健康器具構造。
【請求項８】
前記パターンは、突設されるか凹設されることを特徴とする請求項７に記載の引張式健康器具構造。
【考案の詳細な説明】
【技術分野】
【０００１】
本考案は、引張式健康器具構造に関するものであり、さらに詳しくはリハビリ及び筋持久力訓練を行う引張装置に用い、人体工学的に好ましい方式で手指又は足指の間に装着し、引っ張るときに生じる圧力を低減し、引っ張ることによりリハビリ及び筋持久力訓練を行う引張式健康器具構造に関するものである。
【背景技術】
【０００２】
リハビリ治療として運動を行うには、器具を用いてリハビリ治療を行うことが一般的である。手又は足の末端部をリハビリ治療すると、神経の末端が刺激されて健康状態が回復し、血液循環を促進して健康を増進することができる。
【０００３】
特許文献１の指刺激健康器具６は、図８及び図９で示すように、手足いずれかの指間で挟持する弾性伸縮部材からなるものである。この健康器具６は、一方の端部側６１１から他方の端部側６１２にかけて偏平状の偏平基部６１と、偏平基部６１の上端に複数の棒状体６２１を略並列して形成した指間装着部６２と、指間装着部６２の各棒状体６２１の上端に、棒状体６２１の外径よりも大きい外径を有する略球状の抜け止め部６３と、を備えたものであり、他方の端部側６１２に伸縮連結部６４が延設され、その末端には、円球状の把持部６４１が設けられた構成にされ、手足いずれかの指間に棒状体６２１が装着され、引っ張るなどの動作を行うと、抜け止め部６３が指間に接触されて刺激が与えられてリハビリ効果を得ることができるように構成されたものである。
【０００４】
しかし、上述した従来技術による指刺激健康器具６を使用する際に手足いずれかの指間に棒状体６２１により発生される刺激によるリハビリ効果は理想的でなかった。また、上端の円球状の抜け止め部６３が、手足いずれかの指間に接触されたときに発生する刺激は相対的に低く、それにより得られるリハビリ効果も低いものであった。さらに偏平基部６１を使用する場合、刺激効果が少なく、リハビリ時間が長くなる虞がある上、期待される効果を達成するためには大きな力が必要であり、伸縮連結部６４を使用して引っ張る際、伸縮連結部６４の終端部の把持部６４１の表面材質が滑って外れ易く危険であったため、使用効率が悪く、リハビリ期間が長くなり、得られる効果が低い上、引っ張るときに滑って外れ易く危険であったため、改良が求められていた。
【先行技術文献】
【特許文献】
【０００５】
【特許文献１】日本登録実用新案第３１９７０８６号公報
【考案の概要】
【考案が解決しようとする課題】
【０００６】
従って、本考案の主な課題は、手足のリハビリを行う際に、引っ張るときに生じる圧力の低減が可能であり、引っ張ってリハビリ及び筋持久力訓練を行うことが可能な引張式健康器具構造を提供することにある。
【課題を解決するための手段】
【０００７】
そこで、本考案者は、前記の本考案の課題を解決するために、鋭意検討を重ねた結果、リハビリ及び筋持久力訓練を行う引張装置に用い、人体工学的に好ましい方式で手指又は足指の間に装着することにより、引っ張るときに生じる圧力を低減できることに着目し、かかる知見に基いて、本考案に想到するに至った。
【０００８】
かくして、本考案の要旨は、次の（１）〜（８）に記載の通りのものである。
（１）本体、引張ユニット及びハンドルユニットを備えた引張式健康器具構造であって、
前記本体は、押圧領域を有し、全体として適宜な寸法に形成され、人体工学的に好ましい弧度を有し、前記押圧領域の頂端には、交互に配列された複数の凹設端と、複数の延伸端とが設けられ、前記押圧領域の頂端には、人体工学的に好ましい挟握領域が設けられ、各前記延伸端の末端には、突設部が設けられ、前記突設部の下端には、前記延伸端が接続された箇所に脱落防止端が設けられ、
前記引張ユニットは、全体として長尺状を呈するとともに、前記本体から下向きに延びて弾性材料からなり、引っ張るときに伸張効果を得て、
前記ハンドルユニットは、前記引張ユニットの下端に延設され、把持し易いように全体として適宜な寸法に形成され、把持領域が設けられ、前記把持領域には、突設領域が下向きに延設され、前記突設領域の左右両側には、２つのストッパ部が延設されていることを特徴とする引張式健康器具構造。
（２）前記本体の前記挟握領域の各前記延伸端は、ユーザが把持し易いように凹凸配列されていることを特徴とする前記（１）に記載の引張式健康器具構造。
（３）前記本体の前記押圧領域には、使用するときに滑り抜けることを防ぐために少なくとも１つの窪み部が設けられていることを特徴とする前記（１）に記載の引張式健康器具構造。
（４）前記本体及び前記ハンドルユニットは、弾性材料からなることを特徴とする前記（１）に記載の引張式健康器具構造。
（５）前記本体の前記挟握領域の前記突設部は、円弧状、多角形状又は不規則形状に形成されることを特徴とする前記（１）に記載の引張式健康器具構造。
（６）前記突設部の表面は、平坦状、複数の隆起状又はパターン状に形成されることを特徴とする前記（５）に記載の引張式健康器具構造。
（７）前記ハンドルユニットの前記突設領域の前後両側には、パターンがそれぞれ設けられ、前記引張ユニットに至るまで上方へ延びることを特徴とする前記（１）に記載の引張式健康器具構造。
（８）前記パターンは、突設されるか凹設されることを特徴とする前記（７）に記載の引張式健康器具構造。
【考案の効果】
【０００９】
本考案の引張式健康器具構造は、リハビリ及び筋持久力訓練を行うのに用い、本体は、人体工学的に好ましい弧度の押圧領域を有し、ユーザが手部又は足部により押圧領域を押圧したときの力が分散されるため、引っ張って全体としてリハビリ又は引張訓練を行うときに、大きすぎる力により手部が怪我することを防ぎ、本体の上端に挟握領域が設けられ、手部の指間又は足部の指間に凹設端を装着して延伸端に挟持させる。また、異なる方向へ引っ張る動作を行うと、指が延伸端から外れ、延伸端の上方には円弧状の突起状態の突設部が設けられているため、手部又は足部が延伸端から滑り抜けることを防ぐことができる。そのため、異なる角度の引っ張り動作を行うと、その下端のハンドルユニット全体は、把持し易いように適宜な寸法に形成され、ユーザが直接把持することができる。把持領域は、下向きに延ばされて突設領域が形成されている。突設領域の左右両側には、２つのストッパ部が延伸され、把持するときに外れて危険が生じることを防ぐことができる。このように、本考案の引張式健康器具構造は、リハビリ及び筋持久力を訓練する引張装置に用い、人体工学的に好ましい方式で手指間又は足指間に装着し、引っ張るときに生じる圧力を低減し、引っ張ってリハビリを行ったり筋持久力を訓練したりすることができる。
【図面の簡単な説明】
【００１０】
【図１】図１は、本考案の一実施形態に係る引張式健康器具構造を示す正面図である。
【図２】図２は、本考案の一実施形態に係る引張式健康器具構造を示す側面図である。
【図３】図３は、本考案の一実施形態に係る引張式健康器具構造の本体を示す部分拡大図である。
【図４】図４は、本考案の一実施形態に係る引張式健康器具構造のハンドルユニットを示す部分拡大図である。
【図５】図５は、本考案の一実施形態に係る引張式健康器具構造の使用状態の説明図（１）である。
【図６】図６は、本考案の一実施形態に係る引張式健康器具構造の使用状態の説明図（２）である。
【図７】図７は、本考案の一実施形態に係る引張式健康器具構造の使用状態の説明図（３）である。
【図８】図８は、従来の健康器具を示す正面図（１）である。
【図９】図９は、従来の健康器具を示す正面図（２）である。
【考案を実施するための形態】
【００１１】
まず、図１〜図４を参照する。図１〜図４に示すように、本考案の一実施形態に係る引張式健康器具構造は、少なくとも本体１、引張ユニット２及びハンドルユニット３から構成されてなる。
【００１２】
本体１は、弾性材料からなるとともに押圧領域１１を有し、全体として適宜な寸法に形成され、人体工学的に好ましい弧度を有する。押圧領域１１の頂端には、交互に配列された複数の凹設端１２１と、複数の延伸端１２２とが設けられ、押圧領域１１の頂端には、人体工学的に好ましい挟握領域１２が設けられている。各延伸端１２２の末端には、突設部１２３が設けられる。突設部１２３の下端には、延伸端１２２が接続された箇所に脱落防止端１２３１が設けられる。
【００１３】
引張ユニット２は、全体として長尺状を呈するとともに、本体１から下向きに延びて弾性材料からなり、引っ張るときに伸張効果が得られる。
【００１４】
ハンドルユニット３は、弾性材料からなり、引張ユニット２の下端に延設され、把持し易いように全体として適宜な寸法に形成され、把持して引っ張るための把持領域３１が設けられている。把持領域３１には、突設領域３２が下向きに延設されている。突設領域３２の左右両側には、２つのストッパ部３２１が延設されている。
【００１５】
以下、本実施形態についてさらに詳説する。
【００１６】
前述した本体１の挟握領域１２の各延伸端１２２は、ユーザが把持し易いように凹凸配列されている。
【００１７】
前述した本体１の押圧領域１１には、使用するときに滑り抜けることを防ぐために少なくとも１つの窪み部１１１が設けられている。
【００１８】
前述した本体１の挟握領域１２の突設部１２３は、円弧状、多角形状又は不規則形状に形成される。突設部１２３の表面は、平坦状、複数の隆起状又はパターン状に形成される。
【００１９】
前述したハンドルユニット３の突設領域３２の前後両側には、パターン３３がそれぞれ設けられ、引張ユニット２に至るまで上方へ延びる。パターン３３は、突設されるか凹設される。
【００２０】
図５〜図７を参照する。図５〜図７は、本考案の一実施形態に係る引張式健康器具構造の使用状態の説明図（１）〜（３）である。図５〜図７に示すように、本考案の一実施形態に係る引張式健康器具構造は、本体１、引張ユニット２及びハンドルユニット３を含み、それぞれの構造については既に述べているため、ここでは繰り返して述べない。
【００２１】
まず、上述した構造により、本実施形態は、実際に使用するときに、把持してリハビリ又は訓練を行うために用い、本体１の押圧領域１１は、手部４及び足部５により把持し易いように適宜な寸法に形成され、人体工学的に好ましい弧度を有するため、ユーザの掌を押圧領域１１に当接させ易い。押圧領域１１には、把持するときの触感を良くするための窪み部１１１が設けられ、手部４又は足部５の神経を刺激し、リハビリ及び訓練を効率良く行うことができる。
【００２２】
本実施形態の引張式健康器具構造は、引っ張ってリハビリ又は訓練を行うとき、手部４の指間又は足部５の指間が、本体１の挟握領域１２の凹設端１２１に反対向きに挿入され、手部４又は足部５の掌が外方へ向けられ、手部４の指間又は足部５の指間が延伸端１２２に互いに挟設される。そのため、使用していない手部４の下端のハンドルユニット３の把持領域３１で、反対方向へ引っ張ると、ユーザが使用中の手部４又は足部５に反対方向の力が発生する。これにより手部４又は足部５の指と、腕又は大小腿との筋持久力を向上させることができる。引張ユニット２が引っ張られるときに発生する引張力により、挟持する挟握領域１２の延伸端１２２で、手部４又は足部５の指間が前方へ摺動されるため、延伸端１２２の前端に突設部１２３が設けられ、引張力により前方へ摺動されるとき、突設部１２３の脱落防止端１２３１が手部４又は足部５の指間に接触されるため、外れてユーザが怪我をすることを防ぐことができる。
【００２３】
本実施形態の引張式健康器具構造を引張訓練に使用する場合、ハンドルユニット３を引っ張るときに摺動して手部４がハンドルユニット３の把持領域３１から外れて危険が生じる虞があり、ハンドルユニット３の突設領域３２のストッパ部３２１が手部４の掌の側辺に接触され、使用中に外れてユーザが怪我をする虞があった。その上端の本体１は、握力を高める健康器具として単独で使用することができる。
【００２４】
また、実際に使用する際、本体１の挟握領域１２の各延伸端１２２は、ユーザが把持し易いように凹凸配列されているため、手部４及び足部５により快適に把持することができる。本体１の押圧領域１１に設けた各窪み部１１１により、手部４及び足部５に摩擦力が生じるため、引っ張る際、より安定して滑り抜けて怪我することを防ぐことができる。ハンドルユニット３の突設領域３２の前後両側の各パターン３３は、引っ張る手部４が摺動することを防ぐことができるため、快適に使用することができる。
【００２５】
前述した本体１の挟握領域１２の突設部１２３を利用し、円弧状、多角形状又は不規則形状に形成されてもよい（図示せず）。突設部１２３の表面は、平坦状、複数の隆起状又はパターン状に形成されるため、実際に使用する際、手部４の指間又は足部５の指間で挟設するときに、突設部１２３を押圧したり触れたりするだけで刺激が高まり、血液循環が促進され、使用効率を高めることができる。
【００２６】
本実施形態の引張式健康器具構造は、筋持久力訓練又は筋肉又は腱を伸ばす運動に用い、手部４の指関節又は足部５の指関節に本体１の挟握領域１２の延伸端１２２が挟設されるとともに、手を用いて他端のハンドルユニット３の把持領域３１を引っ張り、発生する引張力により手部４及び足部５を訓練し、筋持久力を高め、手部４又は足部５の訓練効果を高めることができる。
【００２７】
上述したことから分かるように、本考案の引張式健康器具構造は、以下の効果を有する。本考案の引張式健康器具構造は、本体１が人体工学的に好ましい弧度の押圧領域１１を有し、ユーザが手部４又は足部５により押圧領域１１を押圧したときの力が分散されるため、引っ張って全体としてリハビリ又は引張訓練を行うときに、大きすぎる力により手部４が怪我することを防ぎ、本体１の上端に挟握領域１２が設けられ、手部４の指間又は足部５の指間に凹設端１２１を装着して延伸端１２２に挟持させる。また、異なる方向へ引っ張る動作を行うと、指が延伸端１２２から外れ、延伸端１２２の上方には円弧状の突起状態の突設部１２３が設けられているため、手部４又は足部５が延伸端１２２から滑り抜けることを防ぐことができる。そのため、異なる角度の引っ張り動作を行うと、その下端のハンドルユニット３全体は、把持し易いように適宜な寸法に形成され、ユーザが直接把持することができる。把持領域３１は、下向きに延ばされて突設領域３２が形成されている。突設領域３２の左右両側には、２つのストッパ部３２１が延伸され、把持するときに外れて危険が発生することを防ぐことができる。このように、本考案の引張式健康器具構造は、リハビリ及び筋持久力を訓練する引張装置に用い、人体工学的に好ましい方式で手指間又は足指間に装着し、引っ張るときに生じる圧力を低減し、引っ張ってリハビリを行ったり筋持久力を訓練したりすることができる。
【符号の説明】
【００２８】
（本考案）
１  本体
２  引張ユニット
３  ハンドルユニット
４  手部
５  足部
１１  押圧領域
１２  挟握領域
３１  把持領域
３２  突設領域
３３  パターン
１１１  窪み部
１２１  凹設端
１２２  延伸端
１２３  突設部
３２１  ストッパ部
１２３１  脱落防止端
（従来技術）
６  指刺激健康器具  
６１  扁平基板
６２  指間装着部
６３  抜け止め部
６４  伸縮連結部
６１１  一方の端部側
６１２  他方の端部側
６２１  棒状体
６４１  把持部
【図１】
0003219645.tif 000003
【図２】
0003219645.tif 000004
【図３】
0003219645.tif 000005
【図４】
0003219645.tif 000006
【図５】
0003219645.tif 000007
【図６】
0003219645.tif 000008
【図７】
0003219645.tif 000009
【図８】
0003219645.tif 000010
【図９】
0003219645.tif 000011
【手続補正書】
【提出日】平成30年11月7日(2018.11.7)
【手続補正１】
【補正対象書類名】実用新案登録請求の範囲
【補正対象項目名】全文
【補正方法】変更
【補正の内容】
【実用新案登録請求の範囲】
【請求項１】
本体、引張ユニット及びハンドルユニットを備えた引張式健康器具構造であって、
前記本体は、押圧領域を有し、全体として適宜な寸法に形成され、円弧状部分を有し、前記押圧領域の頂端には、交互に配列された複数の凹設端と、複数の延伸端とが設けられ、前記押圧領域の頂端には、挟握領域が設けられ、各前記延伸端の末端には、突設部が設けられ、前記突設部の下端には、前記延伸端が接続された箇所に脱落防止端が設けられ、
前記引張ユニットは、全体として長尺状を呈するとともに、前記本体から下向きに延びて弾性材料からなり、引っ張るときに伸張効果を得て、
前記ハンドルユニットは、前記引張ユニットの下端に延設され、把持し易いように全体として適宜な寸法に形成され、把持領域が設けられ、前記把持領域には、突設領域が下向きに延設され、前記突設領域の左右両側には、２つのストッパ部が延設されていることを特徴とする引張式健康器具構造。
【請求項２】
前記本体の前記挟握領域の各前記延伸端は、ユーザが把持し易いように凹凸配列されていることを特徴とする請求項１に記載の引張式健康器具構造。
【請求項３】
前記本体の前記押圧領域には、使用するときに滑り抜けることを防ぐために少なくとも１つの窪み部が設けられていることを特徴とする請求項１に記載の引張式健康器具構造。
【請求項４】
前記本体及び前記ハンドルユニットは、弾性材料からなることを特徴とする請求項１に記載の引張式健康器具構造。
【請求項５】
前記本体の前記挟握領域の前記突設部は、円弧状、多角形状又は不規則形状に形成されることを特徴とする請求項１に記載の引張式健康器具構造。
【請求項６】
前記突設部の表面は、平坦状、複数の隆起状又はパターン状に形成されることを特徴とする請求項５に記載の引張式健康器具構造。
【請求項７】
前記ハンドルユニットの前記突設領域の前後両側には、パターンがそれぞれ設けられ、前記引張ユニットに至るまで上方へ延びることを特徴とする請求項１に記載の引張式健康器具構造。
【請求項８】
前記パターンは、突設されるか凹設されることを特徴とする請求項７に記載の引張式健康器具構造。